(57)【特許請求の範囲】
【請求項１】
プローブを備えた放射体温計で体温を測定するときにプローブに装着されるプローブカバーを収納するプローブカバー収納ケースであって、
前記放射体温計のプローブを最上のプローブカバーに差し込むことができるように新品のプローブカバーを積み重ねて収納する新品収納部分と、この新品収納部分とは仕切られ、体温測定後の使用済みのプローブカバーを収納する使用済品収納部分とを備えることを特徴とする放射体温計用プローブカバー収納ケース。
【請求項２】
プローブを備えた放射体温計で体温を測定するときにプローブに装着されるプローブカバーを収納するプローブカバー収納ケースであって、
新品のプローブカバーを積み重ねて収納する新品収納部分と、この新品収納部分とは仕切られ、体温測定後の使用済みのプローブカバーを収納する使用済品収納部分とを備え、  前記使用済品収納部分の開口部に、放射体温計のプローブに装着されたプローブカバーを外すための取外し具を備えることを特徴とする放射体温計用プローブカバー収納ケース。
【請求項３】
当該プローブカバー収納ケースの使用者の身体に装着するための取付具を備えることを特徴とする請求項１又は請求項２記載の放射体温計用プローブカバー収納ケース。
【発明の詳細な説明】
【０００１】
【発明の属する技術分野】
本発明は、プローブを外耳道や口腔等に挿入して体温を測定する放射体温計のプローブに装着されるプローブカバーを収納する放射体温計用プローブカバー収納ケースに関する。
【０００２】
【従来の技術】
その種の放射体温計は、例えば図３に示すように、電源スイッチ等の操作部や体温測定値等を表示する表示部を有する体温計本体１に、赤外線センサ等が内蔵されたプローブ７０が突設されたものである。このような放射体温計では、一般に衛生面を考慮して体温測定時にプローブ７０に、フランジ８２を有するプローブカバー８０を装着するようになっている。プローブカバーとしては、赤外線透過性のフィルムや、プローブと略同形状で適度の可撓性を持つ樹脂成形品が使用される。
【０００３】
プローブ７０にプローブカバー８０を取付けた状態の拡大断面図を示す図４において、プローブ７０の基部７１より幾分先端側に周回状の凸部７２が設けられ、この凸部７２に対応する形状の凹部８１がプローブカバー８０に形成されている。ここでは、プローブカバー８０は成形品であって可撓性を有するから、プローブカバー８０をプローブ７０に被せて押し込めば、凸部７２が凹部８１に嵌合し、プローブカバー８０がプローブ７０に固定される。
【０００４】
ところで、プローブカバー８０は、一般に図５に示すようなケース５０に積み重ねて収納されている。ケース５０は開閉可能なフタ５１を有し、フタ５１は止め片５２により止めることができる。又、ケース５０内のプローブカバー８０の残数が少なくなっても、プローブカバー８０を容易に取り出せるように、ケース５０の一側面には一対のミシン目５３が形成されている。
【０００５】
このケース５０では、フタ５１を開けて、プローブカバー８０を１つずつ手で取り出し、放射体温計のプローブ７０に装着する。プローブカバー８０の残数が少なくなると、ミシン目５３から１片５５を切り取り、プローブカバー８０を取り出し易くする。又、図５のケース５０の他に、プローブカバー収納部分の開口部にプローブ７０を差し込むと、最上のプローブカバー８０がプローブ７０に装着されるようにしたケースもある。
【０００６】
【発明が解決しようとする課題】
しかしながら、図５のようなケース５０では、次のような問題点▲１▼〜▲３▼がある。
▲１▼放射体温計のプローブ７０に装着されたプローブカバー８０は、手で取り外さなければならない。
▲２▼取り外したプローブカバー８０を捨てるには、ゴミ箱を近くに用意する必要がある。
▲３▼使用済みのプローブカバー８０の他に、ケース５０自体も最終的にゴミになる。
【０００７】
ところで近年、放射体温計は、病院で数多く使用されているが、黄色ブドウ球菌等による院内感染が問題になっている昨今では、患者は勿論のこと、医師や看護婦等の病院従事者に対する衛生上の安全に十分に配慮する必要がある。又、病院から出される廃棄物（注射針、薬の容器、ガーゼ等）による環境汚染問題も重要であり、できるだけゴミを出さないようにすることが望まれている。
【０００８】
このような観点からすると、特に使用済みのプローブカバー８０をプローブ７０から取り外し、ゴミ箱に捨てるのに手を使用するのは、衛生上の安全性に問題があり、最終的にケース５０をゴミとして出すのも好ましくない。又、使用済みのプローブカバー８０を捨てるのにゴミ箱が要るのは、特に看護婦が放射体温計による体温測定の回診をする場合には大変不便である。
【０００９】
本発明は、そのような問題点に着目してなされたものであり、プローブカバーの着脱時における衛生上の安全性の確保、ゴミの排出量の削減、使い勝手の向上を実現する放射体温計用プローブカバー収納ケースを提供することを目的とする。
【００１０】
【課題を解決するための手段】
前記目的を達成するために、本発明の請求項１記載の放射体温計用プローブカバー収納ケースは、プローブを備えた放射体温計で体温を測定するときにプローブに装着されるプローブカバーを収納するプローブカバー収納ケースであって、放射体温計のプローブを最上のプローブカバーに差し込むことができるように新品のプローブカバーを積み重ねて収納する新品収納部分と、この新品収納部分とは仕切られ、体温測定後の使用済みのプローブカバーを収納する使用済品収納部分とを備えることを特徴とする。
【００１１】
この収納ケースでは、新品収納部分の他に使用済品収納部分が設けられているので、取り外した使用済みのプローブカバーは使用済品収納部分に入れればよく、ゴミ箱を用意する必要がない。プローブにプローブカバーを装着するときには、新品収納部分に積み重ねられた新品のプローブカバーの最上のものにプローブをそのまま差し込めば、プローブカバーがプローブに装着されるため、プローブカバーの装着時に新品のプローブカバーを衛生的に取り扱うことができる。
【００１２】
一方、使用済品収納部分の開口部に、放射体温計のプローブに装着されたプローブカバーを外すための取外し具を備える収納ケース（請求項２）では、使用済みのプローブカバーをプローブから外すときに、プローブを使用済品収納部分の開口部に挿入すればよいので、手で取り外す必要がない。これにより、プローブに対するプローブカバーの着脱を全く手で行う必要がなくなり、より一層の衛生上の安全性が確保される。
【００１３】
又、プローブカバー収納ケースの使用者の身体に装着するための取付具を備えること（請求項３）により、例えば看護婦が収納ケースを身に着けることができるので、体温測定の回診をする場合、非常に便利である。
【００１４】
【発明の実施の形態】
以下、本発明を実施の形態に基づいて説明する。但し、放射体温計は従来のものと変わりはなく、例えば前記したもの（図３及び図４参照）と同様である。
実施形態に係る放射体温計用プローブカバー収納ケースの斜視図を図１に、その側面図を図２に示す。この収納ケース１０は、繰り返し使用できるように耐久性に富む材料（例えば合成樹脂）からなり、フタ１１がヒンジ１５で開閉可能に取付けられている。フタ１１は止め片１２を有し、この止め片１２を収納ケース１０の側面に形成された係合穴１３に嵌入させることで、フタ１１を閉状態で固定することができる。収納ケース１０の内部は、新品のプローブカバー８０を積み重ねて収納する新品収納部分３０と、この新品収納部分３０とは仕切られ、使用済みのプローブカバー８０′を積み重ねて収納する使用済品収納部分４０とに別れている。なお、新品収納部分３０に収納されるプローブカバー８０は、図３及び図４に示したものと同じであり、ここでは、プローブと略同形状で適度の可撓性を持つ樹脂成形品である。
【００１５】
使用済品収納部分４０の開口部には、放射体温計のプローブ７０に装着されたプローブカバーを外すための取外し具として、弾性を持つ４つの爪片２０が内側方向に突設されている。勿論、爪片２０の形状や個数に限定はない。又、収納ケース１０の背面には、身体に装着するための取付具として、スラックス等のずり落ちを防ぐベルトを通す挿通部１７が設けられている。従って、挿通部１７にベルトを通せば、収納ケース１０を腰に着けることができる。
【００１６】
このような収納ケース１０では、使用に際しては新品のプローブカバー８０を新品収納部分３０に積み重ねて入れる。その収納ケース１０を腰に着けた看護婦が体温測定の回診を行うときは、まずフタ１１を開け、放射体温計のプローブ７０を新品収納部分３０に積み重ねられた最上のプローブカバー８０に差し込む。これにより、図４を参照して前記した通り、凸部７２が凹部８１に嵌合し、プローブカバー８０がプローブ７０に装着される。
【００１７】
体温測定後にプローブカバー８０をプローブ７０から外すには、プローブ７０を使用済品収納部分４０の爪片２０の間に挿入する。このとき、爪片２０がプローブカバー８０のフランジ８２を越えるまで、プローブ７０を収納部分４０内に押し込む（図４参照）。勿論、爪片２０は弾性を有するから、操作は容易である。その後、プローブ７０を収納部分４０から引き抜くと、プローブ基部７１から突出するプローブカバー８０のフランジ８２部分に爪片２０が引っ掛かり、プローブカバー８０が引き止められたままプローブ７０だけが抜け、プローブカバー８０がプローブ７０から外れる。外れた使用済みのプローブカバー８０′は、そのまま使用済品収納部分４０に残る。使用済みのプローブカバー８０′は取り外すたびに使用済品収納部分４０に積み重なって収納される。
【００１８】
この収納ケース１０によると、プローブ７０に対するプローブカバー８０の着脱には手を全く使用する必要がないので、衛生上の安全性に優れているだけでなく、使用済みのプローブカバー８０′は使用済品収納部分４０に入れるので、ゴミ箱を用意する必要もない。又、収納ケース１０は、繰り返しの使用を前提としているため、従来のケース５０のようにゴミとして捨てなくても済み、ゴミの量を減らすことができる。
【００１９】
勿論、新品収納部分３０のプローブカバー８０が無くなれば、新しいのを補充すればよく、使用済品収納部分４０が使用済みのプローブカバー８０′で一杯になれば、まとめて捨てればよい。又、より衛生的に収納ケース１０を使用するには、定期的に収納ケース１０（特に使用済品収納部分４０）を洗浄すればよい。なお、上記収納ケース１０は、単なる一例に過ぎず、種々の変更が可能である。例えば、新品収納部分３０と使用済品収納部分４０はそれぞれ１つずつ設けられているが、２つずつ以上設けてもよい。但し、腰に着ける場合は、携帯性を損なわないように適当数設けるのが好ましい。又、身体に装着するための取付具として、ベルトを通す挿通部１７を示したが、例えば首から吊り下げる態様でも構わない。更に、プローブカバーとしては、成形品を示してあるが、赤外線透過性のフィルムの縁部にフランジを設けたものでも同様に適用できる。
【００２０】
【発明の効果】
以上説明したように、請求項１記載のプローブカバー収納ケースによれば、次の効果が得られる。
（１）新品収納部分の他に使用済品収納部分が設けられているので、取り外した使用済みのプローブカバーは使用済品収納部分に入れればよく、ゴミ箱を用意する必要がなく、使い勝手が良い。
（２）プローブにプローブカバーを装着するときには、新品収納部分に積み重ねられた新品のプローブカバーの最上のものにプローブをそのまま差し込めば、プローブカバーがプローブに装着されるので、プローブカバーの装着時に手を用いることなく新品のプローブカバーを衛生的に取り扱うことができる。
（３）収納ケースは、繰り返し使用できるので、ゴミの量を減らすことができる。
（４）請求項２記載のプローブカバー収納ケースによれば、使用済みのプローブカバーをプローブから外すときに、プローブを使用済品収納部分の開口部に挿入すればよいので、手で取り外す必要がない。これにより、プローブに対するプローブカバーの着脱に全く手を用いる必要がなくなるため、より一層の衛生上の安全性が確保される。
（５）請求項３の構成とすることで、例えば看護婦が収納ケースを身に着けることができるので、体温測定の回診をする場合、非常に便利である。
【図面の簡単な説明】
【図１】実施形態に係るプローブカバー収納ケースの斜視図である。
【図２】図１の収納ケースの側面図である。
【図３】放射体温計のプローブにプローブカバーを装着するときの状態を示す側面図である。
【図４】プローブにプローブカバーを装着した状態の拡大断面図である。
【図５】従来例に係る収納ケースの斜視図である。
【符号の説明】
１０    プローブカバー収納ケース
１７    挿通部（取付具）
２０    爪片（取外し具）
３０    新品収納部分
４０    使用済品収納部分
７０    プローブ
８０    プローブカバー
【図１】
0003572949.tif 000002
【図２】
0003572949.tif 000003
【図３】
0003572949.tif 000004
【図４】
0003572949.tif 000005
【図５】
0003572949.tif 000006